(57)【要約】【課題】弦楽器を高音質で鳴らすことができる弦楽器励振装置および弦楽器励振システムを提供する。【解決手段】弦楽器励振装置１００は、バイオリン１の表板２に設置される駒２０の側端部２０ｄに対面する取付面１１０ａを有する本体基板１１０と、取付面１１０ａの反対側となる背面にスピーカ２００の振動板２０１を接続する背面１１０ｂと、本体基板１１０に弾性部材１４０，１５０を介して取り付けられた一対の係合板１２０，１３０と、一対の係合板１２０，１３０が互いに近接する方向に付勢する弾性部材１４０，１５０と、一対の係合板１２０，１３０の間の取付面１１０ａに設置され駒２０の側端部２０ｄの側端面２０ｅに当接する当接部１６０と、を備える。【選択図】図２
2020098306.tif 000002
【特許請求の範囲】
【請求項１】
スピーカからの振動を弦楽器に伝えて当該弦楽器を響鳴させる弦楽器励振装置であって、
前記弦楽器の表板に設置される駒の側端部の側端面に対面する取付面を有する本体基板と、
前記本体基板に対向して取り付けられるとともに、前記駒の前記側端部を挟み込む間隔を空けて設けられ、互いに近接する方向に付勢する一対の係合板と、
前記取付面の反対側となる背面に前記スピーカの振動板を接続する接続部と、を備える
弦楽器励振装置。
【請求項２】
スピーカからの振動を弦楽器に伝えて当該弦楽器を響鳴させる弦楽器励振装置であって、
前記弦楽器の表板に設置される駒の側端部の側端面に対面する取付面を有する本体基板と、
前記取付面の反対側となる背面に前記スピーカの振動板を接続する接続部と、
前記駒の前記側端部の前記側端面に当接する当接部と、
前記当接部を前記駒の前記側端部の前記側端面に当接させるように付勢する当接部保持部と、を備える
弦楽器励振装置。
【請求項３】
前記本体基板は、
一対の前記係合板の間の前記取付面に、前記駒の前記側端部の前記側端面に当接する当接部を有する
請求項１に記載の弦楽器励振装置。
【請求項４】
前記本体基板は、
前記駒の上面部に係合する係合部を有する
請求項１または請求項２に記載の弦楽器励振装置。
【請求項５】
前記本体基板は、
前記駒の上面部に張られた弦の位置までの長さを備え、前記弦に係合する係合部を有する
請求項１または請求項２に記載の弦楽器励振装置。
【請求項６】
前記本体基板は、
当該本体基板から前記駒の他方の側端部までの長さを備え、前記他方の側端部に係合する係合部を有する
請求項１または請求項２に記載の弦楽器励振装置。
【請求項７】
前記本体基板は、
当該本体基板の上部側を前記駒の弦に係合させる上部係合部と、当該本体基板の下部側を前記駒の開口部に係合させる下部係合部と、を有する
請求項１または請求項２に記載の弦楽器励振装置。
【請求項８】
一対の前記係合板は、一対の少なくとも一方が弾性部材を介して前記本体基板に対向して取り付けられ、
前記弾性部材は、一対の少なくとも一方の前記係合板が互いに近接する方向に付勢する
請求項１に記載の弦楽器励振装置。
【請求項９】
前記本体基板および前記一対の係合板は、一体形成されている
請求項１に記載の弦楽器励振装置。
【請求項１０】
第１スピーカからの振動を弦楽器に伝えて当該弦楽器を響鳴させる第１弦楽器励振装置と、第２スピーカからの振動を弦楽器に伝えて当該弦楽器を響鳴させる第２弦楽器励振装置とを備える弦楽器励振装置であって、
前記第１弦楽器励振装置は、
前記弦楽器の表板に設置される駒の一方の側端部の側端面に対面する第１取付面を有する第１本体基板と、
前記第１本体基板に対向して取り付けられるとともに、前記駒の第１側端部を挟み込む間隔を空けて設けられ、互いに近接する方向に付勢する一対の第１係合板と、
前記第１取付面の反対側となる背面に前記第１スピーカの振動板を接続する第１接続部と、を備え、
前記第２弦楽器励振装置は、
前記弦楽器の表板に設置される駒の一方の側端部の側端面に対面する第２取付面を有する第２本体基板と、
前記第２本体基板に対向して取り付けられるとともに、前記駒の第２側端部を挟み込む間隔を空けて設けられ、互いに近接する方向に付勢する一対の第２係合板と、
前記第２取付面の反対側となる背面に前記第２スピーカの振動板を接続する第２接続部と、を備える
請求項１に記載の弦楽器励振装置。
【請求項１１】
前記第１本体基板は、
一対の前記第１係合板の間の前記取付面に、前記駒の一方の第１側端部の前記側端面に当接する第１当接部を有し、
前記第２本体基板は、
一対の前記第２係合板の間の前記取付面に、前記駒の他方の第２側端部の前記側端面に当接する第２当接部を有する
請求項１０に記載の弦楽器励振装置。
【請求項１２】
前記第１本体基板および前記第２本体基板は、
前記駒の上部において互いに連結する連結部を有する
請求項１０に記載の弦楽器励振装置。
【請求項１３】
第１スピーカからの振動を弦楽器に伝えて当該弦楽器を響鳴させる第１弦楽器励振装置と、第２スピーカからの振動を弦楽器に伝えて当該弦楽器を響鳴させる第２弦楽器励振装置とを備える弦楽器励振装置であって、
前記第１弦楽器励振装置は、
前記弦楽器の表板に設置される駒の一方の第１側端部の側端面に対面する第１取付面を有する第１本体基板と、
前記第１取付面の反対側となる背面に前記第１スピーカの振動板を接続する第１接続部と、
前記第１取付面に取り付けられ駒の一方の前記第１側端部の前記側端面に当接する第１当接部と、
前記第１当接部を駒の一方の前記第１側端部の前記側端面に当接させるように付勢する第１当接部保持部と、を備え、
前記第２弦楽器励振装置は、
前記弦楽器の表板に設置される駒の他方の第２側端部の側端面に対面する第２取付面を有する第２本体基板と、
前記第２取付面の反対側となる背面に前記第２スピーカの振動板を接続する第２接続部と、
前記第２取付面に取り付けられ駒の他方の前記第２側端部の前記側端面に当接する第２当接部と、
前記第２当接部を駒の他方の前記第２側端部の前記側端面に当接させるように付勢する第２当接部保持部と、を備える
請求項２に記載の弦楽器励振装置。
【請求項１４】
前記第１当接部保持部および前記第２当接部保持部は、
前記駒を間に挟んで前記第１当接部と前記第２当接部とを互いに引っ張る連結部を有する
請求項１３に記載の弦楽器励振装置。
【請求項１５】
前記連結部は、
前記駒の上面部に張られた弦により位置が規制される
請求項１２または請求項１４に記載の弦楽器励振装置。
【請求項１６】
請求項１ないし請求項８のいずれか一項に記載の弦楽器励振装置と、
前記弦楽器励振装置の前記接続部に前記振動板を取り付けられるスピーカと、
備える弦楽器励振システム。
【請求項１７】
請求項１０ないし請求項１５のいずれか一項に記載の前記第１弦楽器励振装置と、前記第２弦楽器励振装置とを備え、
スピーカは、
前記第１弦楽器励振装置の前記第１接続部に接続され、前記振動板を正信号で駆動する第１スピーカと、
前記第２弦楽器励振装置の前記第２接続部に接続され、前記振動板を反転信号で駆動する第２スピーカと、
を備える弦楽器励振システム。
【発明の詳細な説明】
【技術分野】
【０００１】
本発明は、弦楽器励振装置および弦楽器励振システムに関する。
【背景技術】
【０００２】
一般に、弦楽器は、表板（胴板）と裏板および側板とによって構成された響鳴胴を有し、表板には響穴（サウンドホール）が形成されている。また、弦楽器は、表板に板状のブリッジベース部材が接着剤によって固定されており、ブリッジベース部材上には弦を支持するために弦の長手方向と直交する方向に延在する駒（ブリッジ）が取り付けられている。
そして、各弦は、ブリッジの上部を超えて一端部をブリッジベース部材に取り付けられたブリッジピンに係止されている。この弦のそれぞれは、他端部をヘッド側に設けられている張力調整機構によって張力を与えられることにより、ブリッジの上面に押し付けられ、ブリッジによって有効な位置を規定される。
このような弦楽器を用いて、弦楽器のブリッジを外部から、例えば圧電振動子やスピーカのような振動手段により響鳴させるシステムが提案されている。
【０００３】
特許文献１には、自動バイオリン用増幅器の出力によって振動する圧電振動子と圧電振動子の固定治具と振動伝達体とを備えた圧電振動・伝達ユニットと、駒の振動により発音する自動バイオリンと、スピーカ・ラインに接続したスピーカ用増幅器と、スピーカ用増幅器に接続したダイナミックスピーカとを備えるバイオリンとスピーカによる重畳再生装置が記載されている。
【０００４】
特許文献２には、ブリッジを備えた弦楽器を加振するための装置であって、前記ブリッジに当接するべき作用点部を備えたベース部材と、前記ベース部材に取り付けられた、電気信号を機械振動に変換する振動発生器とを含み、前記ベース部材が、前記弦楽器の少なくとも１本の弦の上面に係合する支点部と、前記作用点部と前記支点部との中間位置で前記少なくとも１本の弦の下面に係合する力点部と、前記支点部および前記力点部の少なくとも一方を、前記作用点部を前記ブリッジに向けて付勢する向きに変位させるための手段とを有することを特徴とする装置が記載されている。
【０００５】
非特許文献１には、球形スピーカを使用し、ストラディバリウスの音響的特徴の解明を行った研究結果が報告されている。例えば、周波数の関数として表した放射指向性の強さのパターンは、ストラディバリウス間で類似していることが明らかになったとされる。ここで、放射指向性の強さとは、音がある特定の一方位に集中するほど高い値を示す空間放射特性の一指標である。また、放射指向性の強さのパターンに関して、中域（１ｋＨｚ前後）と高域（３ｋＨｚ前後）に現れるピークの周波数は、ストラディバリウスと他のバイオリン（オールド、モダン、およびコンテンポラリ）とで異なっていたとされる。
【０００６】
非特許文献２には、各種バイオリンの音階演奏時の放射指向性の強さを算出した放射指向性のパターンが報告されている。放射指向性のパターンのピークとディップ周波数、およびその周波数比に音響的特徴が現れることが考察されたとする。
【先行技術文献】
【特許文献】
【０００７】
【特許文献１】特開２０１１−３５８５１号公報
【特許文献２】ＷＯ２０１４１９９６１３Ａ１号公報
【非特許文献】
【０００８】
【非特許文献１】「オールドバイオリンの音響的特徴の解明」2016 Fiscal Year Research-status Report,牧勝弘等,［online］,［平成３０年１１月１日検索］,インターネット 〈 URL : https://kaken.nii.ac.jp/en/report/KAKENHI-PROJECT-16K00255/16K002552016hokoku/〉
【非特許文献２】「バイオリン「ストラディバリウス」の放射指向性」日本音響学会秋季研究発表会講演論文集（2017.9.25-27），牧勝弘等,［online］,［平成３０年１１月１日検索］,インターネット 〈 URL : http://www.asj.gr.jp/annualmeeting/pdf/2017autumn_timeschedule.pdf〉
【発明の概要】
【発明が解決しようとする課題】
【０００９】
しかしながら、特許文献１に記載の装置では、バイオリンの胴体の内部に加振機を組み込むもので、バイオリンの製造時に行う必要があり、通常のバイオリンとして扱うことはできない。また、既存のバイオリンを改造して、加振機を組み込むことも考えられるが、高価なバイオリンにこのような改造を行うことは多くの場合、受け入れられない。
【００１０】
また、特許文献２に記載の加振装置では、支点部および力点部が弦に係合し、作用点部においてブリッジに係合するので、作用点部をブリッジに対して十分に強い力で押し付けることが可能になる。しかしながら、弦楽器から再生される楽音については、一般的なＨｉＦｉスピーカの音質には達していない。
【００１１】
非特許文献１，２の記載のように、ストラディバリウスを含むオールドバイオリンの音響的特徴が研究されているものの、弦楽器を高音質で鳴らすことができる装置は実現されていない。
【００１２】
このような観点から、本発明は、弦楽器を高音質で鳴らすことができる弦楽器励振装置および弦楽器励振システムを提供することを課題とする。
【課題を解決するための手段】
【００１３】
上記課題を解決するために、本発明の弦楽器励振装置は、スピーカからの振動を弦楽器に伝えて当該弦楽器を響鳴させる弦楽器励振装置であって、前記弦楽器の表板に設置される駒の側端部の側端面に対面する取付面を有する本体基板と、前記本体基板に対向して取り付けられるとともに、前記駒の前記側端部を挟み込む間隔を空けて設けられ、互いに近接する方向に付勢する一対の係合板と、前記取付面の反対側となる背面に前記スピーカの振動板を接続する接続部と、を備える構成とする。
その他の手段については、発明を実施するための形態のなかで説明する。
【発明の効果】
【００１４】
本発明によれば、弦楽器を高音質で鳴らすことができる弦楽器励振装置および弦楽器励振システムを提供することができる。
【図面の簡単な説明】
【００１５】
【図１】本発明の第１の実施形態に係る弦楽器励振装置を取り付けた弦楽器の全体構成を示す斜視図である。
【図２】上記第１の実施形態に係る弦楽器励振装置の構成を示す斜視図であり、（ａ）は駒への取付け方向から見た斜視図、（ｂ）は基板本体の底面とそれに続く側面方向から見た斜視図である。
【図３】上記第１の実施形態に係る弦楽器励振装置の構成を示す図であり、（ａ）は側面図、（ｂ）は（ａ）のＡ−Ａ断面図である。
【図４】上記第１の実施形態に係る弦楽器励振装置の駒の上面部に係合する係合部の斜視図であり、（ａ）は上面右側から見た係合部の斜視図、（ｂ）は背面右側から見た係合部の斜視図である。
【図５】上記第１の実施形態に係る弦楽器励振装置の変形例１の構成を示す斜視図である。
【図６】上記第１の実施形態に係る弦楽器励振装置の変形例２の構成を示す斜視図である。
【図７】上記第１の実施形態に係る弦楽器励振装置の変形例３の構成を示す図であり、（ａ）は駒への取付け方向から見た斜視図、（ｂ）は弦楽器励振装置の側面図、（ｃ）は（ｂ）のＢ−Ｂ断面図である。
【図８】上記第１の実施形態に係る弦楽器励振装置の変形例の構成を示す図であり、（ａ）は変形例４の構成を示す斜視図、（ｂ）は変形例５の構成を示す斜視図である。
【図９】上記第１の実施形態に係る弦楽器励振装置の変形例６の構成を示す図であり、（ａ）はその弦楽器励振装置の斜視図、（ｂ）はその弦楽器励振装置の側面図、（ｃ）はその弦楽器励振装置を駒の側端面から見た図、（ｄ）はその弦楽器励振装置を駒に取り付けた場合の側面図である。
【図１０】本発明の第２の実施形態に係る弦楽器励振装置を取り付けた弦楽器の全体構成を示す斜視図である。
【図１１】上記第２の実施形態に係る弦楽器励振装置の構成を示す側面図である。
【図１２】上記第２の実施形態に係る弦楽器励振システムと比較例の弦楽器の演奏時のデータの放射指向性の強さを比較して示す図である。
【図１３】本発明の第３の実施形態に係る弦楽器励振装置の構成を示す斜視図である。
【図１４】本発明の第４の実施形態に係る弦楽器励振装置の構成を示す斜視図である。
【図１５】本発明の第５の実施形態に係る弦楽器励振装置の構成を示す斜視図である。
【図１６】本発明の第６の実施形態に係る弦楽器励振装置の構成を示す斜視図である。
【発明を実施するための形態】
【００１６】
以下、本発明の実施形態について図面を参照して詳細に説明する。なお、各図において共通する部分には同一の符号を付し、重複した説明を省略する。
（第１の実施形態）
本実施形態は、弦楽器として例えばチェロやヴィオラなどに適用することができるが、ここではバイオリンに適用した例として説明する。
［全体構成］
図１は、本発明の第１の実施形態に係る弦楽器励振装置を取り付けた弦楽器の全体構成を示す斜視図である。
図１に示すように、弦楽器励振システムＳ１は、スピーカ２００からの振動をバイオリン１（弦楽器）に伝えてバイオリン１（弦楽器）を高音質で鳴らす弦楽器励振装置１００と、弦楽器励振装置１００を励振するスピーカ２００と、を備える。スピーカ２００は、音源装置５０から出力される音信号により振動する。音源装置５０は、音信号を再生する音源であり、出力された音信号は、スピーカ２００に入力される。
弦楽器励振装置１００は、スピーカ２００の音響振動を、バイオリン１に伝えて当該バイオリン１を響鳴させる。
【００１７】
バイオリン１は、一般的なものである。また、バイオリン以外の弦楽器（例えばチェロやヴィオラ）にも適用可能である。
バイオリン１は、表板２、裏板３および側板４からなる胴体５と、表板２上からヘッド側に延びる指板６と、胴体５のヘッド側頂部および指板６の背面に固定されたネック７と、を備える。ネック７のヘッド８は、渦巻き９を形成し、糸巻き（ペグ）１０を備える。表板２のテール側には、テールピース１１が固定されテールピース１１にはアジャスタ１２が取り付けられる。表板２には、胴体５内部に開口する一対のｆ字孔１３が形成される。そして、胴体５は、ヘルムホルツ共鳴器を構成している。
【００１８】
表板２の裏面にあるバスバー（図示省略）は、表板２を補強するとともに低音の響きを強め安定させる役割を有する。胴体５内には、魂柱（図示省略）と呼ばれる円柱が立てられており、駒（ブリッジ）２０を通って表板２に達した振動を裏板３に伝える。
弦１５は、正面から見て左が低音、右が高音の弦であり、高音の弦から順にＥ線，Ａ線，Ｄ線，Ｇ線である。４本の弦１５ｅ，１５ａ，１５ｄ，１５ｇ（図１参照）は、胴体５に固定されたテールピース１１から駒２０の上を通り、指板６の先にある上駒（ナット）１６に引っ掛けてその先の糸巻き１０に巻き取られる。
【００１９】
<駒２０>
駒２０は、４本の弦１５ｅ，１５ａ，１５ｄ，１５ｇを弦溝２０ａ（図２（ａ）および図３（ａ）参照）によって所定の位置に支え、弦１５ｅ，１５ａ，１５ｄ，１５ｇの振動を表板２に伝える。駒２０は、指板６とテールピース１１の間の表板２上に、表板２に対してほぼ垂直となるように設置され、取外し可能である。
駒２０は、弦１５を支持する上面部２０ｂ（図２（ａ）および図３（ａ）参照）が上に凸となる緩やかな曲面で形成されている。また、後記図６に示すように、駒２０は、左右対称ではなく、Ｇ線（音の低い弦１５ｇ）側とＥ線（音の高い弦１５ｅ）側で高さを変えている。高さを左右非対称にすることで、ボウイング（弓遣い）と構えで４本の弦１５ｅ，１５ａ，１５ｄ，１５ｇが扱いやすい位置になるようにしている。
【００２０】
図２（ａ）および図３（ａ）のハッチング部に示すように、駒２０の側端部２０ｄは、後記する係合板１２０と係合板１３０が当接する領域となるため音感上重要である。以下、側端部２０ｄについて定義する。
本明細書において、駒２０の側端部２０ｄは、駒２０の上面部２０ｂの角部２０ｃから下方に所定幅（例えば１〜５ｍｍ）延出した帯状の駒２０の表裏面をいうものとする。上記側端部２０ｄの幅は、限定されず、５ｍｍ以上であってもよく、０．１ｍｍ以下であってもよい。また、側端部２０ｄの長さは、例えば開口部２０ｇ（後記）近傍までの領域となる。
【００２１】
駒２０は、その中央部で厚み方向に渦巻き形状の開口部２０ｆが開口し、さらに開口部２０ｆ下方には側端面に渦巻き形状の一端が連通する開口部２０ｇ（駒左右の円形の切れ込み）が左右２箇所に形成される。駒２０は、２つの足部２０ｈ（図３（ａ）参照）と、足部２０ｈと開口部２０ｇの側端面との間に形成された円形窪み部２０ｉ（図３（ａ）参照）と、足部２０ｈと足部２０ｈとの間の平坦底部２０ｊと、を有する。
【００２２】
バイオリン１に取り付ける駒２０の場合、この駒２０の高さ（足部２０ｈの底面から上端面の最も高い面までの高さ）は約３０ｍｍ、この駒２０の左右幅は約４５ｍｍが一般的である。このような駒２０では、駒２０の上面部２０ｂの角部２０ｃ（図２（ａ）および図３（ａ）参照）から渦巻き形状の開口部２０ｇの上部までの側端部２０ｄの長さは約６ｍｍとなる。したがって、この駒２０の側端部２０ｄの高さ方向の幅の上限は、上記角部２０ｃからとし、その下限は渦巻き形状の開口部２０ｇの上部までとする。
【００２３】
また、駒２０は、側端部２０ｄの厚みよりも足部２０ｈの厚みが大きくなるように、駒２０の厚さが徐々に変化している。例えば、一般的なバイオリンの駒２０の場合、駒２０の高さ約３０ｍｍに対して側端部２０ｄの厚みが約２ｍｍ、足部２０ｈ（底部）の厚み４．５ｍｍである（後記図６参照）。
さらに、図３（ｂ）に示すように、駒２０は、一方の面が平面２０ｋであり、対向する他方の面２０ｌ(エル)が凸状に形成されている。
駒２０は、一例として楓材が用いられる。楓材は、有効に音を伝達できるよう密度が高く、木の繊維も規則正しく詰まっている。
【００２４】
［弦楽器励振装置構成］
図２は、弦楽器励振装置１００の構成を示す斜視図であり、（ａ）は駒２０への取付け方向から見た斜視図、（ｂ）は基板本体の底面とそれに続く側面方向から見た斜視図である。図３は、弦楽器励振装置１００の構成を示す図であり、（ａ）は側面図、（ｂ）は（ａ）のＡ−Ａ断面図である。
なお、駒２０は、説明を分かりやすくするため、バイオリン本体から外して図示している。
説明における弦楽器励振装置１００の幅、高さ、厚さは、図２および図３の矢印の幅Ｗ、高さＨ、厚さＤに沿って形成されることとして説明する。
【００２５】
図２および図３に示すように、弦楽器励振装置１００は、バイオリン１の表板２（図１参照）に設置される駒２０の前面の側端部２０ｄと後面の側端部２０ｄとの間の側端面２０ｅ（以下、駒２０の側端部２０ｄの側端面２０ｅという）に対面する取付面１１０ａを有する本体基板１１０と、本体基板１１０に弾性部材１４０，１５０を介して取り付けられた一対の係合板１２０，１３０と、一対の係合板１２０，１３０が互いに近接する方向に付勢する弾性部材１４０，１５０と、一対の係合板１２０，１３０の間の取付面１１０ａに設置され駒２０の側端部２０ｄの側端面２０ｅに当接する当接部１６０と、を備える。
一対の係合板１２０，１３０の係合面には、滑り止め部材１２１，１３１が貼り付けられている。なお、滑り止め部材１２１，１３１の貼付に代えて、係合板１２０，１３０の係合面を粗面に形成してもよく（後記図８（ａ）参照）、同様の効果を得ることができる。さらに、この粗面は係合板１２０，１３０の外方への脱落を防止するよう突起部に角度を持たせてもよい。
【００２６】
本体基板１１０は、駒２０の上面部２０ｂに係合する係合部１７０と、取付面１１０ａの反対側となる背面１１０ｂ（接続部）にスピーカ２００の振動板（スピーカ振動板；ボイスコイル）２０１（図３（ａ）（ｂ）参照）を接続する。背面１１０ｂは、スピーカ２００の振動板２０１を接続する接続部を構成する。本実施形態では、背面１１０ｂ（接続部）に、更に振動板接続部２１０を取り付けている。
振動板接続部２１０は、弦楽器励振装置１００の必須の構成要素ではなく、省略は可能である。
なお、振動板接続部２１０は、本体基板１１０ではなく、スピーカ２００側に取り付けられるものでもよい。また、振動板接続部２１０は、円柱形状としたが角柱形状であっても構わない。
【００２７】
<本体基板１１０>
本体基板１１０は、長方体状部材であり、一対の係合板１２０，１３０を取り付ける取付面１１０ａと、取付面１１０ａと平行に形成されスピーカ２００の振動板２０１を接続する背面１１０ｂ（接続部）と、を有する。
本体基板１１０の高さ（Ｈ方向）は、駒２０の側端部２０ｄの高さ（Ｈ方向）より少し大きく形成することで、一対の係合板１２０，１３０が駒２０の側端部２０ｄ全体を覆うことができる。
背面１１０ｂは、スピーカ２００を取り付ける平らな面に形成されている。本実施形態では、背面１１０ｂには、振動板接続部２１０を介してスピーカ２００の振動板２０１が取り付けされているが、スピーカ２００の振動板２０１を直付けする構成でもよい。
【００２８】
<係合板１２０，１３０>
係合板１２０，１３０は、弾性部材１４０，１５０を介して本体基板１１０の取付面１１０ａに取り付けられる。
係合板１２０と係合板１３０とは、駒２０の側端部２０ｄを挟み込むことが可能な間隔を空けて対向して配置されている。係合板１２０，１３０は、一対で駒２０の側端部２０ｄを挟み込んで係合する。係合板１２０と係合板１３０は、駒２０の側端部２０ｄの少なくとも一部に面接触で当接する。
係合板１２０，１３０は、その少なくとも一方が弾性部材１４０，１５０を介して本体基板１１０に対向して取り付けられるとともに、駒２０の側端部２０ｄを挟み込む間隔を空けて設けられる。挟み込む間隔は、駒２０板厚より狭くても拡げて係合するようなものも含まれる。
【００２９】
上述したように、駒２０は、側端部２０ｄの厚みよりも足部２０ｈの厚みが大きくなるように、駒２０の厚さが徐々に変化している（後記図６参照）。このため、係合板１２０，１３０は、図２（ａ）（ｂ）に示す取付面１１０ａ側から正面視して、ハ字形状に形成される。係合板１２０，１３０が、ハ字形状を採ることで駒２０の側端部２０ｄに良好に係合される。また、駒２０は、一方の面が平面２０ｋであり、対向する他方の面２０ｌが凸状に形成されている。このため、一対の係合板１２０，１３０のうち、一方の係合板１２０が、駒２０の一方の面が平面２０ｋに合わせてほぼ垂直方向（Ｈ方向）に配置される。
【００３０】
また、係合板１２０，１３０の係合面には、滑り止め部材１２１，１３１が貼り付けられている。係合板１２０，１３０は、滑り止め部材１２１，１３１を介して駒２０の側端部２０ｄの少なくとも一部に面接触で当接する。
【００３１】
このように、係合板１２０，１３０は、一端が弾性部材１４０，１５０を介して本体基板１１０の取付面１１０ａに接合され、上記滑り止め部材１２１，１３１の全部または少なくとも一部が駒２０の側端部２０ｄに係合する。
【００３２】
係合板１２０，１３０の厚さは、特に限定されないが、適度な剛性を持つ範囲で駒２０と同等かあるいは駒２０より薄くすることが好ましい。
また、係合板１２０と係合板１３０との厚さを変えてもよく、例えば、係合板１２０の厚さを係合板１３０の厚さより厚くしてもよい。
係合板１２０，１３０は、振動を伝えやすい材料、例えば駒２０の材料と同じ材料（例えば楓材）が好適である。なお、係合板１２０，１３０は、振動を伝えやすい材料（軽量かつ適度な密度と剛性がある材料）であれば、他の木材や樹脂等でもよい。係合板１２０，１３０および本体基板１１０を樹脂等により一体形成した例については図７および図８で後記する。
【００３３】
<弾性部材１４０，１５０>
弾性部材１４０，１５０は、本体基板１１０の取付面１１０ａと係合板１２０，１３０との少なくとも一方（図面では両方）との間に設けられている。この弾性部材１４０，１５０は、係合板１２０，１３０が駒２０の側端部２０ｄを挟み込むように互いに近接する方向に付勢する。
弾性部材１４０，１５０は、例えばシリコンゴム等からなり、可撓性を有する。
弾性部材１４０，１５０は、係合板１２０，１３０の一端の大きさと同等の大きさで同じ厚みになるように形成されている。同じ厚みに形成することで、駒２０の側端部２０ｄが係合板１２０，１３０を越えて弾性部材１４０，１５０に達しても弾性部材１４０，１５０への引っ掛かりを防ぐことができる。
【００３４】
弾性部材１４０，１５０と本体基板１１０の取付面１１０ａとの接合、および弾性部材１４０，１５０と係合板１２０，１３０との接合は、接着剤等を用いて強固に接合する。
また、弾性部材１４０と弾性部材１５０と間隔は、係合板１２０と係合板１３０の間の間隔（距離）を規定する。弾性部材１４０と弾性部材１５０と間隔は、駒２０の側端部２０ｄの厚みにほぼ等しい。
【００３５】
<当接部１６０>
当接部１６０は、駒２０の側端部２０ｄの側端面２０ｅに当接し、スピーカ２００の振動（音振動）を駒２０に伝える凸部である。
当接部１６０は、スピーカ２００の振動を、駒２０の側端部２０ｄの側端面２０ｅに直接伝達する。
当接部１６０は、係合板１２０と係合版１３０との間の取付面１１０ａから所定高さ（例えば２ｍｍ）で突出する。当接部１６０は、駒２０の側端面２０ｅの形状に合わせた細長い板状部材である。当接部１６０は、スピーカ２００の振動を駒２０に伝えつつ、剛性部材同士が接するときに生じる異音（いわゆるビビリ音）を低減する。本実施形態では、当接部１６０は、ゴム材料を用いる。ただし、ゴム材料は、伝達すべき振動をも減衰させるので、適度な膜厚（例えば１ｍｍ以下）とする。
【００３６】
なお、当接部１６０は、省略が可能である。当接部１６０を省略する場合、係合板１２０と係合版１３０との間の取付面１１０ａを駒２０の側端面２０ｅに当接させることが好ましい。
また、スピーカ２００の振動は、係合板１２０，１３０によっても駒２０の側端部２０ｄに伝えられる。すなわち、当接部１６０を設置しない構成であっても、スピーカ２００の振動を係合板１２０，１３０を介して駒２０に伝達することができる。
【００３７】
<係合部１７０>
係合部１７０は、駒２０の上面部２０ｂに係合して、本体基板１１０の脱落やズレを防止する。図４（ａ）（ｂ）に示すように、係合部１７０は、本体基板１１０の取付面１１０ａに弾性部材１７１を介して取り付けられる。係合部１７０は、駒２０の上面部２０ｂの形状に沿って湾曲する湾曲部１７０ａと、駒２０の上面部２０ｂを挟み込む溝１７０ｂと、を有する。
図３（ａ）（ｂ）に示すように、弦楽器励振装置１００の装着時、係合部１７０の湾曲部１７０ａを、駒２０の上面部２０ｂに合わせ、溝１７０ｂを駒２０の上面部２０ｂに嵌め込んで係合する。
図３（ａ）に示すように、弦楽器励振装置１００は、駒２０の上面部２０ｂの角部２０ｃを基点として、駒２０の側端部２０ｄが係合板１２０，１３０で挟んで係合されるとともに、駒２０の上面部２０ｂが係合部１７０の溝１７０ｂに嵌め込んで係合される。これにより、弦楽器励振装置１００は、駒２０の側端部２０ｄに安定して取り付けられる。
【００３８】
弦楽器励振装置１００が取り付けられたバイオリン１（弦楽器）は、図１に示すような水平面に置かれる場合のほか、壁等に立て懸ける、手に持つ、車両等の移動手段に搭載する使用方法がある。このような使用方法の場合であっても、弦楽器励振装置１００が係合部１７０を備えることで、本体基板１１０の脱落やズレを確実に防止することができる。また、弦楽器励振装置１００を長時間使用、あるいは長期間取り付けている場合にも、係合部１７０は、本体基板１１０のズレを有効に防止することができる。
【００３９】
<スピーカ２００>
スピーカ２００は、電気信号を前後方向に振動するボイスコイルと、ボイスコイルに直結された振動板（いずれも図示省略）と、を備え、この振動板が振動することで音信号と等しい波形の音が空気中に放射される。振動板は、円形のコーン紙からなる。
本実施形態では、スピーカ２００の振動板である円形のコーン紙に、振動板接続部２１０を接着剤により直付する。これにより、スピーカ２００の振動板（コーン紙）の振動は、振動板接続部２１０を介して本体基板１１０の背面１１０ｂ（接続部）に直接伝わる。
ここで、スピーカ２００から音響振動を取得する目的に鑑みると、振動板として強度を高めたスピーカ２００を用いることが好ましい。また一般に、振動の伝達特性は振動伝達の距離による影響を受けるので、スピーカ２００は、本体基板１１０の背面１１０ｂ（図３（ａ）（ｂ）参照）に密着させることが好ましい。このため、スピーカ振動板が小径である場合には、振動板接続部２１０は省略してもよい。
【００４０】
なお、本実施形態では、スピーカ２００は、振動板接続部２１０を介して背面１１０ｂに取り付けられているが、スピーカ２００の振動板２０１を背面１１０ｂに直接取り付けてもよい。
また、スピーカ２００本体は、軽量であるためスピーカ２００本体を支持する支持部材（図示省略）は特に設置しなくてもよい。
【００４１】
<音源装置５０>
音源装置５０は、スピーカ２００に音信号を出力するものであればどのような電子機器でもよい。音源装置５０は、バイオリンなどの弦楽器の音を音源として出力している。弦楽器の音を音源として出力した場合、実演奏に近く、リアリティ度の高い楽音を再生することができる。
【００４２】
以下、上述のように構成された弦楽器励振装置１００の作用効果について説明する。
<取付け時>
図２（ａ）に示すように、弦楽器励振装置１００は、弾性部材１４０，１５０を介在させた片持ち構造により、係合板１２０，１３０を、弾性部材１４０，１５０の弾性力に抗して拡げることができる。
図２（ａ）の矢印に示すように、駒２０の側端部２０ｄに係合板１２０，１３０を挟むように押し込む。
【００４３】
係合板１２０，１３０を駒２０の側端部２０ｄに係合させる位置は、下記の点で重要である。すなわち、駒２０は、弦１５に交叉（ほぼ直交）するようにして弦楽器の表板２に取り付けられる。弦１５の振動と駒２０および表板２の振動の音振動とそれらに起因する弦楽器本体の響鳴作用には、無数のパラメータの組み合わせが考えられる。本発明者は、弦楽器励振装置１００が駒２０を左右方向（弦楽器の幅方向）に揺する作用効果に着目した。駒２０は、足部２０ｈ（後記図６参照）が弦楽器の表板２上に設置される。このため、駒２０の上面部２０ｂは、足部２０ｈよりも駒２０を左右方向に揺する作用効果が大きい。そこで、本実施形態では、係合板１２０，１３０を駒２０の側端部２０ｄに係合する場合、図３（ａ）に示すように、駒２０の上面部２０ｂの角部２０ｃになるべく近い、駒２０の側端部２０ｄの上限位置に係合板１２０，１３０を取り付ける。
【００４４】
また、駒２０の厚さは、駒２０の側端部２０ｄから足部２０ｈに向かって徐々に厚くなっており、これに合わせて係合板１２０，１３０は、ハ字形状に形成されているので、係合板１２０，１３０は、側端部２０ｄに隙間なく係合する。これにより、駒２０の側端部２０ｄを係合板１２０ｂ，１３０ｂに少なくとも一部を面接触として当接させることができる。
【００４５】
また、図３（ｂ）に示すように、駒２０は、一方の面２０ｋが平面であり、対向する他方の面２０ｌ(エル)が凸状に形成されている。一方の係合板１２０は、駒２０の面２０ｋに合わせて、バイオリン１の表板２（図１参照）との直交方向に配置され、他方の係合板１３０は、駒２０の面２０ｌ(エル)の凸状面形状に合わせて接触するように配置される。
【００４６】
さらに、図３（ａ）に示すように、係合部１７０の湾曲部１７０ａを、駒２０の上面部２０ｂに合わせ、かつ、係合部１７０の溝１７０ｂを駒２０の上面部２０ｂに嵌め込んで係合する。
【００４７】
<取付け後>
図３（ａ）に示すように、弦楽器励振装置１００は、駒２０の上面部２０ｂの角部２０ｃを基点として、駒２０の側端部２０ｄに係合板１２０，１３０を挟んで係合されているとともに、駒２０の上面部２０ｂに係合部１７０の溝１７０ｂを嵌め込んで係合されている。
【００４８】
駒２０の側端部２０ｄには、弾性部材１４０，１５０によって、押し広げられた係合板１２０，１３０の下端部が戻る方向の付勢力がかかるので、係合板１２０，１３０が側端部２０ｄに押し付けられるようになり、係合板１２０，１３０により駒２０の側端部２０ｄが挟み込まれる。
駒２０の側端部２０ｄの側端面２０ｅが、当接部１６０に当接したところが、駒２０に対する弦楽器励振装置１００の駒２０への最適な取付位置となる。
これにより、弦楽器励振装置１００は、駒２０の側端部２０ｄに安定して取り付けられ、かつ、当接部１６０が駒２０の側端部２０ｄの側端面２０ｅに当接する。
【００４９】
<効果>
（１）基本的な作用効果
本発明者の試作実験によれば、本体基板１１０の背面１１０ｂ（図３（ａ）参照）にスピーカ２００の振動板２０１からの音振動を伝えると、弦楽器を高音質で鳴らすことができることが確かめられた。その理由について下記を考察した。すなわち、スピーカ２００の振動板２０１の音振動は、まず本体基板１１０の背面１１０ｂに伝えられ、本体基板１１０の当接部１６０を通して駒２０の側端部２０ｄの側端面２０ｅに直接伝達されると同時に、係合板１２０，１３０を通して駒２０の側端部２０ｄに伝達される。バイオリン演奏時に弦１５が駒２０を加振する挙動と類似した作用を駒２０に与えることで、バイオリン１（弦楽器）を響鳴させることができる。
本発明者は、駒２０の側面方向（横方向／左右方向）から伝えられた音振動は、弦楽器の表板２に沿って振動させる周波数成分が、弦楽器の実演奏の周波数成分等の挙動に近いのではないかと推察している。例えば、非特許文献２に記載されたような放射指向性のパターンのように、ある周波数の指向性を高めることができると推察している。
【００５０】
（２）駒２０の側端部２０ｄの側端面２０ｅへの音振動の直接伝達
振動の伝達の観点からみると、弦楽器励振装置１００の当接部１６０が、駒２０の側端部２０ｄの側端面２０ｅに当接している。このため、スピーカ２００からの音振動は、当接部１６０を通して駒２０の側端部２０ｄの側端面２０ｅに直接伝達され、音の振動伝達の追従性（振動の各成分の周波数特性）を高めることができる。また上述したように、弦楽器の表板２の側面方向から伝えられた音振動は、弦楽器の表板２に沿って振動させる周波数成分が、弦楽器の実演奏の周波数成分等の挙動に近いと考えられ、自然な音響を得ることができる。
さらに、当接部１６０は、音振動を駒２０に伝達する際の異音（ビビリ音）を低減するので、澄みきった音色を奏することができる。
【００５１】
（３）係合板１２０，１３０を介した駒２０の側端部２０ｄへの音振動の伝達
弦楽器励振装置１００の係合板１２０，１３０が、駒２０の側端部２０ｄに係合している。この場合、係合板１２０，１３０は、駒２０の側端部２０ｄの所定領域（例えば３ｍｍ幅の帯状領域）の少なくとも一部を面接触で挟持する。このため、スピーカ２００からの音振動は、係合板１２０，１３０を介しても駒２０に伝達される。係合板１２０，１３０は、弦楽器励振装置１００を駒２０に取り付けて保持するための保持機能と、駒２０の側面方向（横方向／左右方向）からの音振動伝達機能を併せ持つ。
【００５２】
上記（２）の当接部１６０による音振動伝達が、駒２０の側端部２０ｄの側端面２０ｅへの直接伝達であるのに対し、係合板１２０，１３０を介した駒２０の側端部２０ｄへの音振動伝達は、駒２０の側端部２０ｄを挟んで駒２０の側面方向（横方向／左右方向）からの伝達である。両者の音振動伝達における周波数成分や周波数特性は、異なるものと推定される。
このように、上記当接部１６０に加えて、係合板１２０，１３０によっても、弦楽器の表板２の側面方向から音振動を伝達することができる。
本実施形態では、側端部２０ｄの幅を、例えば約５ｍｍ以下とすることで、スピーカの振動を駒２０に良好に伝えながら、のびやかな音を実現することができた。
【００５３】
（４）弱音効果のない音振動の伝達
弦楽器励振装置１００は、係合板１２０，１３０に弾性部材１４０，１５０を介している。しかし、この弾性部材１４０，１５０は、係合板１２０，１３０が互いに近接する方向に付勢するためのものであり、振動の減衰を目的とするものではない。本実施形態の弾性部材１４０，１５０は、音振動伝達の際の高域特性が落ちず、かつ、適度な可撓性を有する材質や形状で形成される。例えば、弾性部材１４０，１５０には、振動を減衰させるような材質のゴム材を使用せず、例えば樹脂等により構成する。
本実施形態では、弾性部材１４０，１５０によって振動が減衰（ミュート効果）するおそれはない。これにより、弱音効果は生じず、十分な音で鳴らすことができた。
【００５４】
（５）駒２０の材料との一体化
係合板１２０，１３０に、駒２０の材料と同じ振動を伝えやすい材料（例えば楓材）を用いている。このため、係合板１２０，１３０が駒２０の側端部２０ｄに当接した状態では、係合板１２０，１３０と駒２０の側端部２０ｄとが、いわば一つの部材として一体となって機能する。上述したように、弦楽器励振装置１００は、振動の伝達に関して、駒２０の側端部２０ｄが、係合板１２０，１３０まで延びたような特性となる。このため、振動伝達の特性が一様となり自然な音響を得ることができる。
【００５５】
以上説明したように、本実施形態の弦楽器励振装置１００は、バイオリン１の表板２に設置される駒２０の側端部２０ｄに対面する取付面１１０ａを有する本体基板１１０と、取付面１１０ａの反対側となる背面にスピーカ２００の振動板２０１を接続する背面１１０ｂと、本体基板１１０に弾性部材１４０，１５０を介して取り付けられた一対の係合板１２０，１３０と、一対の係合板１２０，１３０が互いに近接する方向に付勢する弾性部材１４０，１５０と、一対の係合板１２０，１３０の間の取付面１１０ａに設置され駒２０の側端部２０ｄの側端面２０ｅに当接する当接部１６０と、を備える。
【００５６】
この構成により、スピーカ２００からの音響振動を、本体基板１１０の取付面１１０ａから当接部１６０および係合板１２０，１３０を介してバイオリン１の駒２０に良好に伝達することができ、バイオリン１を高音質で鳴らすことができる。
【００５７】
特に、弦楽器励振装置１００は、スピーカ２００からの音響振動を、駒２０の側面方向（横方向／左右方向）から伝達するので、演奏時に弦１５が駒２０を加振する挙動と類似した作用を駒２０に与えることで、バイオリン１（弦楽器）を響鳴させることができる。
【００５８】
弦楽器励振装置１００は、バイオリン１そのものを響鳴させている。そのため、弦楽器励振装置１００は、バイオリン１の生演奏と同じように臨場感あふれる高音質の楽音を再生することができる。
また、弱音器効果も大幅に減らすことができ、音の振動伝達の追従性（振動の各成分の周波数特性）を高め、音の振動を安定、かつ、十分に伝えることができる。
【００５９】
バイオリン再生音の試聴実験結果によると、低音域から中音域、中音域から高音域までバランスの取れた音響が得られ、バイオリン固有の豊かで美しい響きを再生することができ、バイオリン生演奏と遜色ない、優れた臨場感を実現することができた。
【００６０】
［変形例］
次に、本発明の実施形態の変形例に係る弦楽器励振装置の構成を説明する。
<変形例１>
図５は、本実施形態に係る弦楽器励振装置１００Ａの変形例１の構成を示す斜視図である。図５は、弦楽器励振装置１００Ａを駒２０に取り付けて斜め上方向から見た斜視図である。図２と同一構成部分には同一番号を付して重複箇所の説明を省略する。
図５に示すように、変形例１の弦楽器励振装置１００Ａは、駒２０の上面部２０ｂに張られた弦１５（ここでは弦１５ｄ）の位置までの長さを備え、弦１５に係合する係合部１７０Ａを有する。
係合部１７０Ａは、駒２０の弦１５（弦１５ｄ）に係合して、本体基板１１０の脱落を防止する。係合部１７０Ａは、一端が本体基板１１０の上面１１０ｃに固定され、他端が面ファスナー１７２で構成される。面ファスナー１７２は、フック面１７２ａとループ面１７２ｂとを有し、両者を押し付けることで簡単に貼り付けることができ、何度もつけ外しが可能である。面ファスナー１７２は、駒２０の上面部２０ｂの弦１５（弦１５ｄ）を避ける切欠き１７２ｃを有する。
図５に示すように、弦楽器励振装置１００Ａの装着時、係合部１７０Ａのループ面１７２ｂを、弦１５（弦１５ｄ）を周回させ、ループ面１７２ｂをフック面１７２ａに貼り付けて係合する。
【００６１】
これにより、弦楽器励振装置１００Ａは、駒２０の側端部２０ｄに安定して取り付けられ、弦楽器励振装置１００Ａの脱落や、使用による位置ズレが防止される。
変形例１は、図２の弦楽器励振装置１００に比べて、より確実に弦楽器励振装置１００Ａの脱落や、経時使用による位置ズレを防止することができる。
なお、係合部１７０Ａは、弦１５ｄではなく、他の弦（複数の弦でもよい）に取り付けられるものでもよい。また、係合部１７０Ａは、面ファスナー１７２に代えて、弦１５に引っかけるフックであっても構わない。
【００６２】
<変形例２>
図６は、本実施形態に係る弦楽器励振装置１００Ｂの変形例２の構成を示す斜視図である。図２と同一構成部分には同一番号を付して重複箇所の説明を省略する。
図６に示すように、変形例２の弦楽器励振装置１００Ｂは、本体基板１１０から駒２０の他方の側端部２０ｄまでの長さを備え、他方の側端部２０ｄに係合する係合部１７０Ｂを有する。
係合部１７０Ｂは、一端が本体基板１１０の上面１１０ｃに弾性部材１７３を介して固定され、他端が滑り止め１７４を有する鉤爪を備える。
係合部１７０Ｂは、上記鉤爪が駒２０の他方の側端部２０ｄに係合して、本体基板１１０の脱落を防止する。
図６に示すように、弦楽器励振装置１００Ｂの装着時、弾性部材１７３の変形応力に抗して係合部１７０Ｂの鉤爪側を持ち上げ、駒２０の上面２０ｂを橋架させ、駒２０の他方の側端部２０ｄに係合させる。
【００６３】
これにより、弦楽器励振装置１００Ｂは、駒２０の側端部２０ｄに安定して取り付けられ、弦楽器励振装置１００Ｂの脱落や、使用による位置ズレが防止される。
変形例２は、図２の構成に比べて、より確実に弦楽器励振装置１００Ａの脱落や、経時使用による位置ズレを防止することができる。また、変形例２は、図５のように、面ファスナー１７２を弦１５に引っかける構成ではないので、弦１５への負担がない利点がある。
【００６４】
<変形例３>
図７は、本実施形態に係る弦楽器励振装置３００の変形例３の構成を示す斜視図であり、（ａ）は駒２０への取付け方向から見た斜視図、（ｂ）は弦楽器励振装置３００の側面図、（ｃ）は（ｂ）のＢ−Ｂ断面図である。
図７（ａ）（ｂ）に示すように、弦楽器励振装置３００は、駒２０の側端部２０ｄの側端面２０ｅ（前記図２参照）に対面する取付面３１０ａを有する本体基板３１０と、本体基板３１０と一体形成された一対の係合板３２０，３３０と、係合板３２０，３３０の外側面に貼り付けられ、一対の係合板３２０，３３０が互いに近接する方向に付勢する弾性部材３４０，３５０と、一対の係合板３２０，３３０の間の取付面３１０ａに設置され駒２０の側端部２０ｄの側端面２０ｅに当接する当接部３６０と、駒２０の上面部２０ｂ（前記図２参照）に係合する係合部３７０と、を備える。一対の係合板３２０，３３０の係合面には、滑り止め部材３２１，３３１が貼り付けられている。
本体基板３１０は、取付面３１０ａの反対側となる背面３１０ｂ（接続部）にスピーカ２００の振動板２０１を接続する振動板接続部２１０（図７（ｂ）参照）と、を有する。
【００６５】
本体基板３１０と係合板３２０，３３０と係合部３７０とは、例えば樹脂部材により一体されている。
係合板３２０と係合板３３０とは、駒２０の側端部２０ｄ（前記図２参照）を挟み込むことが可能な間隔を空けて対向して配置されている。係合板３２０，３３０は、一対で駒２０の側端部２０ｄを挟み込んで係合する。
当接部３６０は、駒２０の側端部２０ｄの側端面２０ｅに当接し、スピーカ２００の振動を駒２０に伝える凸部である。当接部３６０は、スピーカ２００の振動を、駒２０の側端面２０ｅに直接伝達する。当接部３６０は、例えばゴム材料を用いて、スピーカ２００の振動を駒２０に伝えつつ、剛性部材同士が接するときに生じる異音（ビビリ音）を低減する。
【００６６】
係合部３７０は、駒２０の上面部２０ｂに係合して、本体基板３１０の脱落を防止する。係合部３７０は、本体基板３１０の取付面３１０ａから前方に延出し、駒２０の上面部２０ｂの形状に沿って湾曲する湾曲部３７０ａと、駒２０の上面部２０ｂを挟み込む溝３７０ｂと、を有する。
【００６７】
上述したように、本体基板３１０と係合板３２０，３３０とは、例えば樹脂部材により一体化されている。樹脂部材を用いることで、係合板３２０，３３０は、弾力性を有し、駒２０の側端部２０ｄを挟み込むことができる。しかし、係合板３２０，３３０が有する弾性力だけでは、駒２０の側端部２０ｄを挟み込む力が不十分であるか、または挟み込みの調整にばらつきが生じるおそれがある。そこで、変形例３では、係合板３２０，３３０の外側面に弾性部材３４０，３５０を貼り付けることで、係合板１２０，１３０が駒２０の側端部２０ｄを挟み込むように互いに近接する方向により強く付勢させる。
同様の理由から、係合部３７０の外側面に弾性部材３７１を貼り付けることで、駒２０の上面部２０ｂに係合部３７０の溝３７０ｂをより強く嵌まり込むように付勢させる。
【００６８】
なお、弾性部材３４０，３５０および弾性部材３７１は、弦楽器励振装置３００の必須の構成要素ではなく、省略は可能である。
また、変形例３の弦楽器励振装置３００は、本体基板３１０および係合板３２０，３３０を、一体形成しているが、弾性部材３４０，３５０を、係合板３２０，３３０の側面に貼り付ける構成であれば、一体形成でなくても構わない。
【００６９】
このように、変形例３の弦楽器励振装置３００は、本体基板３１０、係合板３２０，３３０および係合部３７０を、例えば樹脂部材を用いて射出成形により一体形成できるので、複雑な形状の製品を大量に生産することができる。また、当接部３６０を本体基板３１０と一体形成してもよい。一体形成により、弦楽器励振装置３００の低コスト化を図ることができ、汎用的な普及が期待できる。
【００７０】
<変形例４>
図８（ａ）は、本実施形態に係る弦楽器励振装置３００Ａの変形例４の構成を示す斜視図である。図７と同一構成部分には同一番号を付して重複箇所の説明を省略する。
図８（ａ）に示すように、弦楽器励振装置３００Ａは、図７に示す弦楽器励振装置３００から弾性部材３４０，３５０と係合部３７０と、滑り止め部材３２１，３３１と、を取り去った構造を採る。一対の係合板３２０，３３０の係合面は、粗面３２０ａ，３３０ａに形成されている。
【００７１】
上述したように、本体基板３１０と係合板３２０，３３０とは、例えば樹脂部材により一体化されている。樹脂部材を用いることで、係合板３２０，３３０は、弾力性を有し、駒２０の側端部２０ｄを挟み込むことができる。ここで、係合板３２０，３３０は、駒２０の側端部２０ｄを所定以上の弾性力で付勢可能な樹脂材料や厚さ（肉厚）で形成されている。また、係合部３７０は、駒２０の上面部２０ｂに所定以上の弾性力で付勢可能な樹脂材料や厚さで形成されている。
【００７２】
弦楽器励振装置３００Ａの変形例４によれば、変形例３の弾性部材３４０，３５０および弾性部材３７１と、滑り止め部材３２１，３３１（図７参照）とを用いないので、部品点数と取付け工数を削減することができ、より低コスト化を図ることができる。
【００７３】
なお、弾性部材３４０，３５０または弾性部材３７１のうちいずれか一方を削減するものでもよい。
また、係合板３２０，３３０のうち、一方の係合板（例えば係合板３２０）を厚さを厚くする構成も可能である。この場合、厚さの薄い係合板３３０の外側面のみに弾性部材３５０（図７参照）を設けるようにしてもよい。
また、一対の係合板３２０，３３０の係合面を粗面３２０ａ，３３０ａ形成とせず、滑り止め部材３２１，３３１（図７参照）を貼り付ける構成でもよい。
【００７４】
<変形例５>
図８（ｂ）は、本実施形態に係る弦楽器励振装置３００Ｂの変形例５の構成を示す斜視図である。図８（ａ）と同一構成部分には同一番号を付して重複箇所の説明を省略する。
図８（ｂ）に示すように、弦楽器励振装置３００Ｂは、一体形成された本体基板３１０と係合板３２０，３３０の外側面に帯状のリブ３１１を設ける。また、一体形成された本体基板３１０と係合部３７０の外側面に帯状のリブ３７２を設ける。帯状のリブ３１１，３７２は、本体基板３１０の外側面から凸状に盛り上がる形状となっている。
【００７５】
変形例５によれば、弦楽器励振装置３００Ｂは、本体基板３１０と係合板３２０，３３０の外側面に、帯状のリブ３１１を設けることで、係合板３２０，３３０が駒２０の側端部２０ｄを挟み込む際の撓み応力を向上させることができる。同様に、係合部３７０の溝３７０ｂが駒２０の上面部２０ｂに嵌まり込む際の撓み応力を向上させることができる。
【００７６】
なお、弦楽器励振装置３００Ｂは、本体基板３１０と係合板３２０，３３０と係合部３７０とを、例えば射出成形により一体形成している。射出成形を用いる場合、帯状のリブ３１１，３７２を本体基板３１０と合わせて一体形成することができる。
【００７７】
<変形例６>
図９は、本実施形態に係る弦楽器励振装置３００Ｃの変形例６の構成を示す図であり、（ａ）は弦楽器励振装置３００Ｃの斜視図、（ｂ）は弦楽器励振装置３００Ｃの側面図、（ｃ）は弦楽器励振装置３００Ｃを駒の側端面から見た図、（ｄ）は弦楽器励振装置３００Ｃを駒に取り付けた場合の側面図である。
図９に示すように、変形例６の弦楽器励振装置３００Ｃは、駒２０の側端部２０ｄ（図９（ｄ）参照）の側端面２０ｅに対面する取付面３１１を有する本体基板３１０Ｃと、駒２０の側端部２０ｄに係合する一対の係合板３２０Ｃ，３３０Ｃと、取付面３１１の反対側でスピーカ２００の振動板２０１に接続するための背面３１２（接続部）と、本体基板３１０Ｃの上部側を駒２０の弦１５（ここでは弦１５ｇ）に係合させる上部係合部３７１と、本体基板３１０Ｃの下部側を駒２０の開口部２０ｇ（図９（ｄ）参照）にフック３７３を介して係合させる下部係合部３７２と、を備える。
上記本体基板３１０Ｃ、係合板３２０Ｃ，３３０Ｃ、上部係合部３７１、および下部係合部３７２は、例えば樹脂部材により一体形成されている。弦楽器励振装置３００Ｃは、一体形成され、かつ、例えば可撓可能な樹脂部材により構成されているので、装置全体を撓らせることができ、一部にかかる応力を装置全体に分散することができる。
【００７８】
取付面３１１は、一対の係合板３２０Ｃ，３３０Ｃの間の面が、駒２０の側端部２０ｄの側端面２０ｅに当接する当接部を構成する。
なお、変形例６では、一対の係合板３２０Ｃ，３３０Ｃの間の取付面３１１を、前記当接部としているが、前記図２〜図３の当接部１６０または前記図６の当接部３６０のように、取付面に取り付けた突起を当接部としてもよい。ただし、変形例６の弦楽器励振装置３００Ｃを試作したところ、突起を有する当接部を取付面に取り付けなくても、当接効果が十分にあることが確かめられた。弦楽器励振装置３００Ｃの材質（例えば樹脂材料）と、一体形成された構造に依るものと考えられる。
【００７９】
上部係合部３７１は、駒２０の上端部２０ｂ（図９（ｄ）参照）を覆うように、駒２０の弦１５（弦１５ｇ）の位置まで延出する。上部係合部３７１は、駒２０の上面部２０ｂに張られた弦１５（弦１５ｇ）に引掛ける引掛け部３７１ａを有する。なお、上部係合部３７１は、弦１５ｇ以外の弦１５（例えば弦１５ｄ）に引掛ける態様でもよい。
【００８０】
下部係合部３７２は、一対の板状部材からなり、対向する方向に可撓性を有する。下部係合部３７２は、一対の係合板３２０Ｃ，３３０Ｃの下側から駒２０の開口部２０ｇ（図９（ｄ）参照）の位置まで延出する。下部係合部３７２の端部には、それぞれフック３７３が取り付けられている。フック３７３は、円柱形状（ラウンドシリンダ形）のネオジウム磁石であり、フック３７３の背面は下部係合部３７２の内面側に固定されている。フック３７３の表面は、開放されているが、磁力により対向するフック３７３に引き付けられ、図９（ａ）（ｃ）に示すように、密着する。この閉状態では、対向する２つのフック３７３は、結合されて一つの円柱棒状となる。
【００８１】
また、下部係合部３７２の端部側を外方に拡げることで、フック３７３同士を引き離し、駒２０の開口部２０ｇ（駒左右の円形の切れ込み）にフック３７３を挿入することができる。駒２０の開口部２０ｇへのフック３７３挿入後には、フック３７３同士が再び密着する。フック３７３の外周部が駒２０の開口部２０ｇの円形内周面に係止することで、本体基板３１０Ｃの下側部分を駒２０の側面の定位置に取り付けることができる。
【００８２】
以上の構成において、上部係合部３７１は、引掛け部３７１ａを弦１５ｇ（図９（ｄ）参照）に引掛けて本体基板３１０Ｃの上部を保持し、下部係合部３７２は、フック３７３を駒２０の開口部２０ｇに引掛けて本体基板３１０Ｃの下部を保持する。これにより、弦楽器励振装置３００Ｃは、駒２０の側面方向からみて、駒２０の上部と駒２０の下部の二箇所で、確実に保持することができる。弦楽器励振装置３００Ｃは、駒２０の側端部２０ｄに安定して取り付けられ、弦楽器励振装置３００Ｃの脱落や、使用による位置ズレが防止される。
本発明者の実験では、駒２０の開口部２０ｇに下部係合部３７２を結合したことによる音質の変化がないことも確認できた。
また、変形例６の弦楽器励振装置３００Ｃは、本体基板３１０Ｃ、係合板３２０Ｃ，３３０Ｃ、上部係合部３７１、および下部係合部３７２を、例えば樹脂部材を用いて一体形成しているので、材料費を大幅に低減することができる。同様の理由で、組立工数を大幅に削減（事実上、組立不要に）でき、また各部の調整の手間をなくすことができる。また、大量生産が可能であり、この点からも低コスト化を図ることができる。
【００８３】
以上、第１の実施形態および変形例１〜６では、本弦楽器励振装置を駒２０の右側（駒２０の弦１５ｇ側）取り付ける例について説明したが、駒２０の左側（駒２０の弦１５ｅ側）にも同様に取り付け可能である。本弦楽器励振装置を駒２０の両端に取り付ける例については、後記する。
また、各変形例の弦楽器励振装置を組み合わせてもよい。例えば図５の変形例１の弦楽器励振装置１００Ａや図９の変形例６の弦楽器励振装置３００Ｃを駒２０の右側に取り付け、図２の弦楽器励振装置１００を駒２０の左側に取り付ける等である。
【００８４】
（第２の実施形態）
第２の実施形態に係る弦楽器励振装置４００を図１０乃至図１２を参照して説明する。
第１弦楽器励振装置４００Ａおよび第２弦楽器励振装置４００Ｂは、図１乃至図４の弦楽器励振装置のほか、図５乃至図９に示す変形例１〜６の弦楽器励振装置にも同様に適用できる。
図１０は、本発明の第２の実施形態に係る弦楽器励振装置を取り付けた弦楽器の全体構成を示す斜視図である。図１と同一構成部分には同一番号を付して重複箇所の説明を省略する。
図１０に示すように、弦楽器励振システムＳ２は、第１スピーカ２００Ａからの振動を弦楽器に伝えて当該弦楽器を響鳴させる第１弦楽器励振装置４００Ａと、第２スピーカ２００Ｂからの振動を弦楽器に伝えて当該弦楽器を響鳴させる第２弦楽器励振装置４００Ｂと、駒２０の上部において第１弦楽器励振装置４００Ａと第２弦楽器励振装置４００Ｂとを連結する連結部５００と、を備える。なお、第１弦楽器励振装置４００Ａおよび第２弦楽器励振装置４００Ｂを総称する場合は、弦楽器励振装置４００という。
【００８５】
第１スピーカ２００Ａおよび第２スピーカ２００Ｂは、音源装置５０から出力される音信号により振動する。音源装置５０は、音信号を再生する音源であり、出力された音信号は、位相反転回路６０を介して第１スピーカ２００Ａおよび第２スピーカ２００Ｂに入力される。位相反転回路６０は、上記音信号のうち一方の極性の信号を反転させて、第１スピーカ２００Ａまたは第２スピーカ２００Ｂの一方に出力する。第１スピーカ２００Ａおよび第２スピーカ２００Ｂは、音源装置５０から位相反転回路６０を介して入力された音信号を再生する。第１スピーカ２００Ａおよび第２スピーカ２００Ｂは、弦楽器励振装置４００の側面をプッシュプル（push-pull）で駆動するので、駆動能力が高く、応答性およびダイナミックレンジが広い効果がある。
弦楽器励振装置４００は、第１スピーカ２００Ａおよび第２スピーカ２００Ｂの音響振動を、バイオリン１に伝えて当該バイオリン１を響鳴させる。
【００８６】
図１１は、弦楽器励振装置４００Ａの側面図である。なお、駒２０は、説明を分かりやすくするため、バイオリン本体から外して図示している。
図１１に示すように、第１弦楽器励振装置４００Ａは、駒２０の一方の側端部２０ｄの側端面２０ｅに対面する第１取付面４１１Ａを有する第１本体基板４１０Ａと、第１本体基板４１０Ａに取り付けられた一対の第１係合板４２０Ａ，４３０Ａと、一対の係合板４２０Ａ，４３０Ａが互いに近接する方向に付勢する第１弾性部材４４０Ａ，４５０Ａと、第１取付面４１１Ａの反対側となる背面に第１スピーカ２００Ａの振動板２０１Ａを接続する第１背面４１２Ａ（第１接続部）と、一対の係合板４２０Ａ，４３０Ａの間の第１取付面４１１Ａに設置され駒２０の一方の側端部２０ｄの側端面２０ｅに当接する第１当接部４６０Ａと、を備える。
第１背面４１２Ａ（第１接続部）には、第１振動板接続部２１０Ａを介して第１スピーカ２００Ａの振動板２０１Ａが取り付けられている。また、一対の第１係合板４２０Ａ，４３０Ａの係合面には、滑り止め部材（図示省略）が貼り付けられている。
第１本体基板４１０Ａは、上面に連結部５００の一方の端面５００ａに接合する第１弾性部材４７０Ａを有する。
【００８７】
また、第２弦楽器励振装置４００Ｂは、駒２０の他方の側端部２０ｄの側端面２０ｅに対面する第２取付面４１１Ｂを有する第２本体基板４１０Ｂと、第２本体基板４１０Ｂに取り付けられた一対の第２係合板４２０Ｂ，４３０Ｂと、一対の第２係合板４２０Ｂ，４３０Ｂが互いに近接する方向に付勢する第２弾性部材４４０Ｂ，４５０Ｂと、第２取付面４１１Ｂの反対側となる背面に第２スピーカ２００Ｂの振動板２０１Ｂを接続する第２背面４１２Ｂ（第２接続部）と、一対の第２係合板４２０Ｂ，４３０Ｂの間の第２取付面４１１Ｂに設置され駒２０の一方の側端部２０ｄの側端面２０ｅに当接する第２当接部４６０Ｂと、を備える。
第２背面４１２Ｂ（第２接続部）には、第２振動板接続部２１０Ｂを介して第２スピーカ２００Ｂの振動板２０１Ｂが取り付けられている。また、一対の第２係合板４２０Ｂ，４３０Ｂの係合面には、滑り止め部材（図示省略）が貼り付けられている。
第２本体基板４１０Ｂは、上面に連結部５００の他方の端面５００ｂに接合する第２弾性部材４７０Ｂを有する。
【００８８】
なお、本実施形態では、第１背面４１２Ａには、振動板接続部２１０を介して第１スピーカ２００Ａの振動板２０１Ａが、また第２背面４１２Ｂには、第２振動板接続部２１０Ｂを介して第２スピーカ２００Ｂの振動板２０１Ｂが取り付けられているが、直付けする構成でもよい。
【００８９】
連結部５００は、第１弦楽器励振装置４００Ａの第１本体基板４１０Ａと第２弦楽器励振装置４００Ｂの第２本体基板４１０Ｂとを、駒２０の上部で第１弾性部材４７０Ａ，第２弾性部材４７０Ｂを介して連結する。連結部５００は、駒２０の上面部２０ｂの形状に合わせて、第１本体基板４１０Ａの上面と第２本体基板４１０Ｂの上面と繋ぐ弓なり形状に形成されている。連結部５００は、駒２０の弦溝２０ａの４本の弦１５ｅ，１５ａ，１５ｄ，１５ｇを跨ぐように配置される。
【００９０】
連結部５００は、一方の端面５００ａが第１弾性部材４７０Ａを介して第１本体基板４１０Ａの上面に連結し、他方の端面５００ｂが第２弾性部材４７０Ｂを介して第２本体基板４１０Ｂの上面に連結している。この構成により、第１本体基板４１０Ａと第２本体基板４１０Ｂとは、駒２０の側面方向の動きが互いに規制される。その結果、第１弦楽器励振装置４００Ａおよび第２弦楽器励振装置４００Ｂは、駒２０の側端部２０ｄにそれぞれ安定して取り付けられ、第１弦楽器励振装置４００Ａおよび第２弦楽器励振装置４００Ｂの脱落や、使用による位置ズレが防止される。
【００９１】
本実施形態の弦楽器励振システムＳ２によれば、第１の実施形態の弦楽器励振装置１００およびその変形例１〜５の弦楽器励振装置１００Ａ，１００Ｂ，３００，３００Ａ，３００Ｂと同様の効果、すなわち、上述した（１）〜（５）の効果を得ることができる。
【００９２】
特に、本実施形態の弦楽器励振システムＳ２は、駒２０の一方の側端部２０ｄ（弦１５ｇ側）に第１弦楽器励振装置４００Ａを設置し、駒２０の他方の側端部２０ｄ（弦１５ｅ側）に第２弦楽器励振装置４００Ｂを設置する。さらに、第１弦楽器励振装置４００Ａを、第１スピーカ２００Ａで駆動させ、第２弦楽器励振装置４００Ｂを、第２スピーカ２００Ｂで反転信号によりプッシュプルで駆動させる。これにより、駒２０は、第１弦楽器励振装置４００Ａと第２弦楽器励振装置４００Ｂの両側から加振されるので、駆動能力が高く、応答性およびダイナミックレンジが広い効果がある。その結果、弦楽器励振システムＳ２は、バイオリン１の生演奏と同じように臨場感あふれる高音質の楽音を再生することができる。
【００９３】
バイオリン再生音の試聴実験結果によると、低音域から中音域、中音域から高音域までバランスの取れた音響が得られた。バイオリン固有の豊かで美しい響きを再生することができ、バイオリン生演奏と遜色ない、優れた臨場感を実現することができた。非特許文献２に記載されたような放射指向性のパターンのように、ある周波数の指向性をより一層高めることができると推察される。
【００９４】
［実験結果］
図１２は、本実施形態の弦楽器励振システムＳ２と比較例のバイオリン（弦楽器）の演奏時のデータの放射指向性の強さを比較して示す図である。図１２の縦軸は放射指向性の強さを、横軸は周波数を示す。
図１２の破線は、比較例の生演奏データの放射指向性の強さを示し、図１２の実線は、この生演奏データに対応する弦楽器励振システムＳ２の再生音の放射指向性の強さを示している。
測定の条件（演奏方法と録音方法とデータ分析）の詳細は、非特許文献２に準拠している。
【００９５】
具体的には、（１）非特許文献２に記載のように、放射特性パターン無響室に置かれた直径２ｍの球形のメッシュに４２個の小型マイクが均等に取り付けられた収録装置の中央でバイオリン演奏を行う。そして、３６０度の方角で収録したデータを、放射特性パターンとしてプロットする。
（２）本弦楽器励振システムＳ２による再生の放射特性パターン（図１２の実線）は、下記により得ている。すなわち、弦楽器励振装置４００を装着したバイオリンを無響室の上記球形収録装置の中央で人に演奏姿勢に構えてもらう。そして、上記（１）で測定したバイオリン演奏データをステレオに変換した再生信号を弦楽器励振装置４００に印加して、再生音を測定した。なお、弦楽器励振装置４００は、上述したように、係合板１２０，１３０と当接部１６０とを備え、両サイド加振を行う装置である。
【００９６】
図１２の破線に示すバイオリン生演奏の放射特性パターンと、図１２の実線に示す弦楽器励振装置４００による再生音の放射特性パターンは、良く一致していることが判る。特に、低域の４００Ｈｚ前後、中域の１ｋＨｚ超、高域の３ｋＨｚ前後の放射特性パターンは良く相関している。
この実験結果から、弦楽器励振装置４００による励振によって、バイオリンが生演奏とほぼ同様の響鳴反応を示したと理解できる。演奏者や第三者からも、弦楽器励振システムＳ２の再生音は、聴きなれた生演奏に非常に近いと評価された。
【００９７】
本発明は、弦楽器を高音質で鳴らすことができる弦楽器励振装置および弦楽器励振システムを提供することにある。
図１２の実験結果は、「弦楽器を高音質で鳴らす」という、定量化しづらい感覚的な課題を、原音に忠実にエミュレート（emulate）するエミュレータ装置に置き換えるものである。すなわち、本弦楽器励振システムＳ２は、弦楽器励振装置４００による機械的構造を用いて、弦楽器の生演奏とほぼ同様の響鳴反応を得る装置を実現することができる。
【００９８】
（第３の実施形態）
図１３は、本発明の第３の実施形態に係る弦楽器励振装置６００を取り付けた弦楽器の全体構成を示す斜視図である。図１と同一構成部分には同一番号を付して重複箇所の説明を省略する。
図１３に示すように、弦楽器励振システムＳ３は、第１スピーカ２００Ａからの振動を弦楽器に伝えて当該弦楽器を響鳴させる第１弦楽器励振装置６００Ａと、第２スピーカ２００Ｂからの振動を弦楽器に伝えて当該弦楽器を響鳴させる第２弦楽器励振装置６００Ｂと、駒２０の上部において第１弦楽器励振装置４６０Ａと第２弦楽器励振装置６００Ｂとを連結する一対の連結部６５０と、を備える。
第１弦楽器励振装置６００Ａおよび第２弦楽器励振装置６００Ｂは、図１乃至図３の弦楽器励振装置１００と同様な構成に加え、さらに本体基板１１０の側面に連結部６５０を支持する支持部材６８０，６８０を備える。
第１弦楽器励振装置６００Ａは、第１スピーカ２００Ａで駆動され、第２弦楽器励振装置６００Ｂは、第２スピーカ２００Ｂで駆動される。
【００９９】
連結部６５０は、第１弦楽器励振装置６００Ａの本体基板１１０と第２弦楽器励振装置６００Ｂの本体基板１１０とを、弦１５ｇと、弦１５ｄおよび弦１５ａと、弦１５ｅとで上下交互に連結する。これにより、連結部６５０は、第１弦楽器励振装置６００Ａと第２弦楽器励振装置６００Ｂとを安定的に連結する。その結果、第１弦楽器励振装置６００Ａおよび第２弦楽器励振装置６００Ｂは、駒２０の側端部２０ｄにそれぞれ安定して取り付けられ、第１弦楽器励振装置６００Ａおよび第２弦楽器励振装置６００Ｂの脱落や、使用による位置ズレをより確実に防止できる。
【０１００】
上述したように、弦楽器励振装置１００が取り付けられたバイオリン１（弦楽器）は、水平面に置かれる場合のほか、壁等に立て懸ける、手に持つ、車両等の移動手段に搭載する使用方法がある。連結部６５０は、第１弦楽器励振装置６００Ａおよび第２弦楽器励振装置６００Ｂの長時間使用、あるいは長期間取り付けている場合の本体基板１１０の脱落やズレを確実に防止することができる。
なお、係合部１７０を省略する構成としてもよい。
【０１０１】
また、本実施形態の弦楽器励振システムＳ３は、図１２の弦楽器励振システムＳ２と同様に、駒２０の一方の側端部２０ｄ（弦１５ｇ側）に第１弦楽器励振装置６００Ａを設置し、駒２０の他方の側端部２０ｄ（弦１５ｅ側）に第２弦楽器励振装置６００Ｂを設置する。さらに、第１弦楽器励振装置６００Ａを、第１スピーカ２００Ａで駆動させ、第２弦楽器励振装置６００Ｂを、第２スピーカ２００Ｂで反転信号によりプッシュプルで駆動させる。これにより、駒２０は、第１弦楽器励振装置４００Ａと第２弦楽器励振装置４００Ｂの両側から加振されるので、駆動能力が高く、応答性およびダイナミックレンジが広い効果がある。
【０１０２】
上記第１〜第３の実施形態では、弦楽器励振装置の本体基板が係合板を備える構成について説明した。第４〜６の実施形態では、弦楽器励振装置の本体基板が当接部のみを備える例について説明する。
【０１０３】
（第４の実施形態）
図１４は、本発明の第４の実施形態に係る弦楽器励振装置７００の構成を示す斜視図である。図５と同一構成部分には同一番号を付して重複箇所の説明を省略する。
図１４に示すように、弦楽器励振システムＳ４は、スピーカ２００からの振動を弦楽器に伝えて当該弦楽器を響鳴させる楽器励振装置７００を備える。
弦楽器励振装置７００は、駒２０の側端部２０ｄの側端面２０ｅに対面する取付面７１０ａを有する本体基板７１０と、取付面７１０ａに取り付けられ駒２０の側端部２０ｄの側端面２０ｅに当接する当接部７６０と、当接部７６０を駒２０の側端部２０ｄの側端面２０ｅに当接させるように付勢する当接部保持部７７０と、を備える。
【０１０４】
当接部保持部７７０は、伸縮性を有する帯状部材７７１を備え、帯状部材７７１は、一端が本体基板７１０の上面７１０ｃに固定され、他端が面ファスナー７７２で構成される。帯状部材７７１は、駒２０の上面部２０ｂに張られた弦１５（ここでは弦１５ｄ）を巻回して、面ファスナー７７２が本体基板７１０の底面７１０ｄに固定されたフック面（図示省略）に貼り付けられる。帯状部材７７１は、駒２０の上面部２０ｂの弦１５（弦１５ｄ）を避ける切欠き７７１ａを有する。
当接部保持部７７０は、帯状部材７７１の面ファスナー１７２を、本体基板７１０の底面７１０ｄのフック面（図示省略）に押し付けることで簡単に貼り付けることができ、何度もつけ外しが可能である。
【０１０５】
図１４に示すように、弦楽器励振装置７００の装着時、伸縮性を有する帯状部材７７１の面ファスナー１７２を伸張させつつ、弦１５（弦１５ｄ）を巻回させ、本体基板７１０の底面７１０ｄのフック面（図示省略）に押し付けて保持する。これにより、本体基板７１０の当接部７６０は、駒２０の側端部２０ｄの側端面２０ｅに引っ張られるようにして当接する。帯状部材７７１の一端は、本体基板７１０の上面７１０ｃに、他端は本体基板７１０の底面７１０ｄに係止されているので、本体基板７１０の取付面７１０ａに形成された当接部７６０は、駒２０の側端部２０ｄの側端面２０ｅの適正位置に当接し、かつ、常時適度な力で引っ張られるように当接することになる。
【０１０６】
本実施形態の弦楽器励振装置７００によれば、本体基板７１０が当接部７６０のみを備える構成例において、上記第１〜第３の実施形態と同様の効果、すなわちスピーカ２００からの音振動を、本体基板７１０の取付面７１０ａから当接部７６０を介して弦楽器の駒２０に良好に伝達することができ、弦楽器を高音質で鳴らすことができる。
【０１０７】
（第５の実施形態）
図１５は、本発明の第５の実施形態に係る弦楽器励振装置８００の構成を示す斜視図である。図１２と同一構成部分には同一番号を付して重複箇所の説明を省略する。
図１５に示すように、弦楽器励振システムＳ５は、第１スピーカ２００Ａからの振動を弦楽器に伝えて当該弦楽器を響鳴させる第１弦楽器励振装置８００Ａと、第２スピーカ２００Ｂからの振動を弦楽器に伝えて当該弦楽器を響鳴させる第２弦楽器励振装置８００Ｂと、駒２０の上部において第１弦楽器励振装置８００Ａと第２弦楽器励振装置８００Ｂとを連結する連結部８５０（第１当接部保持部、第２当接部保持部）と、を備える。なお、第１弦楽器励振装置８００Ａおよび第２弦楽器励振装置８００Ｂを総称する場合は、弦楽器励振装置８００という。
【０１０８】
図１５に示すように、第１弦楽器励振装置８００Ａは、駒２０の一方の側端部２０ｄに対面する第１取付面８１１Ａを有する第１本体基板８１０Ａと、第１取付面８１１Ａの反対側となる背面に第１スピーカ２００Ａの振動板２０１Ａを接続する第１背面８１２Ａ（第１接続部）と、第１取付面８１１Ａに設置され駒２０の一方の側端部２０ｄの側端面２０ｅに当接する第１当接部８６０Ａと、を備える。
第１本体基板８１０Ａは、上面に連結部８５０の一方の端面８５０ａに接合する第１弾性部材８７０Ａと、駒２０の上面部２０ｂに係合して、第１本体基板８１０Ａの脱落やズレを防止する係合部１７０Ａと、を有する。
【０１０９】
また、第２弦楽器励振装置８００Ｂは、駒２０の他方の側端部２０ｄに対面する第２取付面８１１Ｂを有する第２本体基板８１０Ｂと、第２取付面８１１Ｂの反対側となる背面に第２スピーカ２００Ｂの振動板２０１Ｂを接続する第２背面８１２Ｂ（第２接続部）と、第２取付面４１１Ｂに設置され駒２０の他方の側端部２０ｄの側端面２０ｅに当接する第２当接部８６０Ｂと、を備える。
第２本体基板８１０Ｂは、上面に連結部８５０の他方の端面８５０ｂに接合する第２弾性部材８７０Ｂと、駒２０の上面部２０ｂに係合して、第２本体基板８１０Ｂの脱落やズレを防止する係合部１７０Ｂと、を有する。
【０１１０】
連結部８５０は、可撓性を有する部材により構成され、第１弦楽器励振装置８００Ａの第１本体基板８１０Ａと第２弦楽器励振装置８００Ｂの第２本体基板８１０Ｂとを、駒２０の上部で第１弾性部材８７０Ａ，第２弾性部材８７０Ｂを介して連結する。
連結部８５０は、駒２０の上面部２０ｂの形状に合わせて、第１本体基板８１０Ａの上面と第２本体基板８１０Ｂの上面と繋ぐ弓なり形状に形成されている。連結部８５０は、駒２０の弦溝２０ａの４本の弦１５ｅ，１５ａ，１５ｄ，１５ｇを跨ぐように配置される。
【０１１１】
連結部８５０は、第１弦楽器励振装置８００Ａの第１本体基板８１０Ａと第２弦楽器励振装置８００Ｂの第２本体基板８１０Ｂとが互いに近づく方向に付勢する当接部保持部を構成する。すなわち、連結部８５０は、いわゆるヘッドホンのヘッドバンドのように、第１弦楽器励振装置８００Ａおよび第２弦楽器励振装置８００Ｂを駒２０に取り付ける前は、駒２０の横幅（左右の幅）よりも狭くなるように構成されている。そして、第１弦楽器励振装置８００Ａおよび第２弦楽器励振装置８００Ｂを駒２０に取り付ける場合、連結部８５０は、外方に撓んで拡げられる。これにより、連結部８５０は、第１弦楽器励振装置８００Ａの第１本体基板８１０Ａと第２弦楽器励振装置８００Ｂの第２本体基板８１０Ｂとを内方に引っ張る。その結果、駒２０の両側の側端面２０ｅに、第１弦楽器励振装置８００Ａの第１当接部８６０Ａと第２弦楽器励振装置８００Ｂの第２当接部８６０Ｂとが引っ張られるようにして当接する。
【０１１２】
本実施形態の弦楽器励振装置８００によれば、駒２０の両側の側端面２０ｅに、第１弦楽器励振装置８００Ａの第１当接部８６０Ａと第２弦楽器励振装置８００Ｂの第２当接部８６０Ｂとが良好に当接する。したがって、本体基板８１０Ａ，８１０Ｂが当接部８６０Ａ，８６０Ｂのみを備える構成例において、上記第１〜第３の実施形態と同様の効果を得ることができ、弦楽器を高音質で鳴らすことができる。
【０１１３】
また、第１本体基板８１０Ａと第２本体基板８１０Ｂとは、駒２０の側面方向の動きが互いに規制される。その結果、第１弦楽器励振装置８００Ａおよび第２弦楽器励振装置８００Ｂは、駒２０の両側の側端面２０ｅにそれぞれ安定して取り付けられ、第１弦楽器励振装置８００Ａおよび第２弦楽器励振装置８００Ｂの脱落や、使用による位置ズレが防止される。
【０１１４】
また、本実施形態の弦楽器励振システムＳ５は、前記図１１の弦楽器励振システムＳ２の場合と同様に、駒２０の一方の側端部２０ｄ（弦１５ｇ側）に第１弦楽器励振装置８００Ａを設置し、駒２０の他方の側端部２０ｄ（弦１５ｅ側）に第２弦楽器励振装置８００Ｂを設置する。さらに、第１弦楽器励振装置８００Ａを、第１スピーカ２００Ａで駆動させ、第２弦楽器励振装置８００Ｂを、第２スピーカ２００Ｂで反転信号によりプッシュプルで駆動させる。これにより、駒２０は、第１弦楽器励振装置８００Ａと第２弦楽器励振装置８００Ｂの両側から加振されるので、駆動能力が高く、応答性およびダイナミックレンジが広い効果がある。その結果、弦楽器励振システムＳ５は、バイオリン１の生演奏と同じように臨場感あふれる高音質の楽音を再生することができる。
【０１１５】
なお、本実施形態では、係合部１７０Ａ，１７０Ｂは、第１本体基板８１０Ａおよび第２本体基板８１０Ｂを駒２０の両側の側端面２０ｅに取り付ける際の位置決め部材としての機能を有する。この位置決め部材としての機能が発揮できればよく、形状はどのようなものでもよい。例えば、第１本体基板８１０Ａおよび第２本体基板８１０Ｂから駒２０の上面部２０ｂに延びて、第１本体基板８１０Ａおよび第２本体基板８１０Ｂの位置を規制する突起でもよい。
【０１１６】
（第６の実施形態）
図１６は、本発明の第６の実施形態に係る弦楽器励振装置９００の構成を示す斜視図である。図１３と同一構成部分には同一番号を付して重複箇所の説明を省略する。
図１６に示すように、弦楽器励振システムＳ６は、第１スピーカ２００Ａからの振動を弦楽器に伝えて当該弦楽器を響鳴させる第１弦楽器励振装置９００Ａと、第２スピーカ２００Ｂからの振動を弦楽器に伝えて当該弦楽器を響鳴させる第２弦楽器励振装置９００Ｂと、駒２０の上部において第１弦楽器励振装置９００Ａと第２弦楽器励振装置９００Ｂとを連結する連結部９５０（第１当接部保持部、第２当接部保持部）と、を備える。なお、第１弦楽器励振装置９００Ａおよび第２弦楽器励振装置９００Ｂを総称する場合は、弦楽器励振装置９００という。
【０１１７】
図１６に示すように、第１弦楽器励振装置９００Ａは、駒２０の一方の側端部２０ｄに対面する第１取付面９１１Ａを有する第１本体基板９１０Ａと、第１取付面９１１Ａの反対側となる背面に第１スピーカ２００Ａの振動板２０１Ａを接続する第１背面９１２Ａ（第１接続部）と、第１取付面９１１Ａに設置され駒２０の一方の側端部２０ｄの側端面２０ｅに当接する第１当接部９６０Ａと、を備える。
第１本体基板９１０Ａは、側面に連結部９５０を支持する支持部材９８０Ａと、駒２０の上面部２０ｂに係合して、第１本体基板９１０Ａの脱落やズレを防止する係合部１７０Ａと、を有する。
【０１１８】
また、第２弦楽器励振装置９００Ｂは、駒２０の他方の側端部２０ｄに対面する第２取付面９１１Ｂを有する第２本体基板９１０Ｂと、第２取付面９１１Ｂの反対側となる背面に第２スピーカ２００Ｂの振動板２０１Ｂを接続する第２背面９１２Ｂ（第２接続部）と、第２取付面９１１Ｂに設置され駒２０の他方の側端部２０ｄの側端面２０ｅに当接する第２当接部９６０Ｂと、を備える。
第２本体基板９１０Ｂは、側面に連結部９５０を支持する支持部材９８０Ｂと、駒２０の上面部２０ｂに係合して、第２本体基板９１０Ｂの脱落やズレを防止する係合部１７０Ｂと、を有する。
【０１１９】
連結部９５０は、可撓性を有する部材により構成され、第１弦楽器励振装置９００Ａの第１本体基板９１０Ａと第２弦楽器励振装置９００Ｂの第２本体基板９１０Ｂとを、弦１５ｇと、弦１５ｄおよび弦１５ａと、弦１５ｅとで上下交互に連結する。これにより、連結部９５０は、第１弦楽器励振装置９００Ａと第２弦楽器励振装置９００Ｂとを安定的に連結する。その結果、第１弦楽器励振装置９００Ａおよび第２弦楽器励振装置９００Ｂは、駒２０の側端部２０ｄの側端面２０ｅにそれぞれ安定して取り付けられ、第１弦楽器励振装置９００Ａおよび第２弦楽器励振装置９００Ｂの脱落や、使用による位置ズレをより確実に防止できる。
【０１２０】
連結部９５０は、第１弦楽器励振装置９００Ａの第１本体基板９１０Ａと第２弦楽器励振装置９００Ｂの第２本体基板９１０Ｂとが互いに近づく方向に付勢する当接部保持部を構成する。連結部９５０は、第１弦楽器励振装置９００Ａおよび第２弦楽器励振装置９００Ｂを駒２０に取り付ける前は、連結部９５０両端の差渡しが駒２０の横幅（左右の幅）よりも狭くなるように構成されている。そして、第１弦楽器励振装置９００Ａおよび第２弦楽器励振装置９００Ｂを駒２０に取り付ける場合、連結部９５０は、外方に撓んで拡げられる。これにより、連結部９５０は、第１弦楽器励振装置９００Ａの第１本体基板９１０Ａと第２弦楽器励振装置９００Ｂの第２本体基板９１０Ｂとを内方に引っ張る。その結果、駒２０の両側の側端面２０ｅに、第１弦楽器励振装置９００Ａの第１当接部９６０Ａと第２弦楽器励振装置９００Ｂの第２当接部９６０Ｂとが引っ張られるようにして当接する。
【０１２１】
本実施形態の弦楽器励振装置９００によれば、駒２０の両側の側端面２０ｅに、第１弦楽器励振装置９００Ａの第１当接部９６０Ａと第２弦楽器励振装置９００Ｂの第２当接部９６０Ｂとが良好に当接する。したがって、本体基板９１０Ａ，９１０Ｂが当接部９６０Ａ，９６０Ｂのみを備える構成例において、上記第１〜第３の実施形態と同様の効果を得ることができ、弦楽器を高音質で鳴らすことができる。
【０１２２】
また、第１本体基板９１０Ａと第２本体基板９１０Ｂとは、駒２０の側面方向の動きが互いに規制される。その結果、第１弦楽器励振装置９００Ａおよび第２弦楽器励振装置９００Ｂは、駒２０の両側の側端面２０ｅにそれぞれ安定して取り付けられ、第１弦楽器励振装置９００Ａおよび第２弦楽器励振装置９００Ｂの脱落や、使用による位置ズレが防止される。
【０１２３】
また、本実施形態の弦楽器励振システムＳ６は、前記図１３の弦楽器励振システムＳ３の場合と同様に、駒２０の一方の側端部２０ｄ（弦１５ｇ側）に第１弦楽器励振装置９００Ａを設置し、駒２０の他方の側端部２０ｄ（弦１５ｅ側）に第２弦楽器励振装置９００Ｂを設置する。さらに、第１弦楽器励振装置９００Ａを、第１スピーカ２００Ａで駆動させ、第２弦楽器励振装置９００Ｂを、第２スピーカ２００Ｂで反転信号によりプッシュプルで駆動させる。これにより、駒２０は、第１弦楽器励振装置９００Ａと第２弦楽器励振装置９００Ｂの両側から加振されるので、駆動能力が高く、応答性およびダイナミックレンジが広い効果がある。その結果、弦楽器励振システムＳ６は、バイオリン１の生演奏と同じように臨場感あふれる高音質の楽音を再生することができる。
【０１２４】
また、演奏時に開放されている弦（開放弦）が共振してしまうことを防ぐために、弦を指板に押し付けることがある。本実施形態の弦楽器励振システムＳ６は、連結部９５０が、弦１５ｇと、弦１５ｄおよび弦１５ａと、弦１５ｅとで上下交互に連結しているので、副次的な効果として、開放弦の共振を抑制することができる。
【０１２５】
なお、係合部１７０Ａ，１７０Ｂは、第１本体基板９１０Ａおよび第２本体基板９１０Ｂを駒２０の両側の側端面２０ｅに取り付ける際の位置決め部材としての機能を有する。この位置決め部材としての機能が発揮できればよく、形状はどのようなものでもよい。本実施形態では、連結部９５０が、弦１５ｇと、弦１５ｄおよび弦１５ａと、弦１５ｅとで上下交互に連結しているので、第１本体基板９１０Ａおよび第２本体基板９１０Ｂの位置決めのズレや経時変化は小さい。このため、係合部１７０Ａ，１７０Ｂを省略する構成としてもよい。
【０１２６】
本発明は、上記各実施形態や変形例に記載した構成に限定されるものではなく、特許請求の範囲に記載した本発明の要旨を逸脱しない限りにおいて、適宜その構成を変更することができる。
例えば、図１３の弦楽器励振装置２００では、係合板１２０，１３０の間の取付面１１０ａに突起を有する当接部１６０（図２，図３，図５参照）を設けているが、前記図９の変形例６の弦楽器励振装置３００Ｃのように、係合板１２０，１３０の間の取付面を当接部としてもよい。同様に、図１４の弦楽器励振装置７００、図１５の弦楽器励振装置８００、図１６の弦楽器励振装置９００では、本体基板の取付面に、突起を有する当接部を設けているが、この取付面を当接部としてもよい。各弦楽器励振装置２００，３００，７００，８００，９００を試作したところ、突起を有する当接部を取付面に取り付けなくても、当接の効果が十分にあることが確かめられた。
【０１２７】
また、係合板は、駒２０の側端部２０ｄに対して、面接触部が５％以上、好ましくは１０％以上、より好ましくは３０％以上、更に好ましくは５０％以上の合計となるように構成することが好ましい。少なくとも一部が面接触として、点接触や線接触と併用されることとなっても構わない。
【０１２８】
上記した各実施形態および変形例は本発明をわかりやすく説明するために詳細に説明したものであり、必ずしも説明した全ての構成を備えるものに限定されるものではない。また、ある実施形態例の構成の一部を他の実施形態例の構成に置き換えることが可能であり、また、ある実施形態例の構成に他の実施形態例の構成を加えることも可能である。また、各実施形態例の構成の一部について、他の構成の追加・削除・置換をすることが可能である。
【０１２９】
さらに、例えば第１の実施形態の変形例１，２で説明した構成では、一対の係合板は、その対向する両方が弾性部材を介して本体基板の下端部に取り付けられる例として説明したが、一対の係合板の少なくとも一方が弾性部材を介して本体基板に取り付けられていればよい。なお、弾性部材がない状態で本体基板に取り付けられた係合板は、弾性部材がない分、短い状態で下端部に取り付けられることや、あるいは、一対の係合板の高さが揃わなくても構わない。
【０１３０】
また、本実施の形態では弦楽器励振装置および弦楽器励振システムという名称を用いたが、これは説明の便宜上であり、弦楽器振動装置、弦楽器再生システム等であってもよい。
【符号の説明】
【０１３１】
１  バイオリン（弦楽器）
２  表板
１５  弦
２０  駒
２０ａ  弦溝
２０ｂ  上面部
２０ｃ  角部
２０ｄ  側端部
２０ｅ  側端面
５０  音源装置
６０  位相反転回路
１００，１００Ａ，１００Ｂ，３００Ａ，３００Ｂ，３００Ｃ，４００，４００Ａ，６００，７００，８００，９００  弦楽器励振装置
１１０，３１０，４１０  本体基板
１１０ａ，３１０ａ，３１１  取付面（当接部）
１１０ｂ，３１０ｂ，３１２  背面（接続部）
１２０，１３０，３３０，３４０  係合板
１４０，１５０，１７３，３４０，３５０  弾性部材
１６０，３６０，７６０  当接部
１７０Ａ，１７０Ｂ，３７０  係合部
２００  スピーカ
２００Ａ  第１スピーカ
２００Ｂ  第２スピーカ
２０１，２０１Ａ，２０１Ｂ  振動板
２１０，３６０  振動板接続部
２１０Ａ  第１振動板接続部
２１０Ｂ  第２振動板接続部
３７１  上部係合部
３７２  下部係合部
３７３  フック
４００Ａ，６００Ａ，８００Ａ，９００Ａ  第１弦楽器励振装置
４１０Ａ，８１０Ａ，９１０Ａ  第１本体基板
４１１Ａ，８１１Ａ，９１１Ａ  第１取付面
４１２Ａ，８１２Ａ，９１２Ａ  第１背面（第１接続部）
４００Ｂ，６００Ｂ，８００Ｂ，９００Ｂ  第２弦楽器励振装置
４１０Ｂ，８１０Ｂ，９１０Ｂ  第２本体基板
４１１Ｂ，８１１Ｂ，９１１Ｂ  第２取付面
４１２Ｂ，８１２Ｂ，９１２Ｂ  第２背面（第２接続部）
５００，６５０，８５０，９５０  連結部（第１当接部保持部、第２当接部保持部）
７７０  当接部保持部
Ｓ１〜Ｓ６  弦楽器励振システム
【図１】
2020098306.tif 000003
【図２】
2020098306.tif 000004
【図３】
2020098306.tif 000005
【図４】
2020098306.tif 000006
【図５】
2020098306.tif 000007
【図６】
2020098306.tif 000008
【図７】
2020098306.tif 000009
【図８】
2020098306.tif 000010
【図９】
2020098306.tif 000011
【図１０】
2020098306.tif 000012
【図１１】
2020098306.tif 000013
【図１２】
2020098306.tif 000014
【図１３】
2020098306.tif 000015
【図１４】
2020098306.tif 000016
【図１５】
2020098306.tif 000017
【図１６】
2020098306.tif 000018